(57)【要約】【課題】外部映像機器のメニュー表示を自機の表示態様に合わせて表示する。【解決手段】外部映像機器１０で再生された映像コンテンツがテレビ受像機１００で表示される。テレビ受像機には、外部映像機器で生成された画面表示に必要な表示コードと、外部映像機器自体を制御する制御コードとを含む付随コード情報からなる送信信号を受信する送受信用インタフェース部１１０と、表示コードおよび制御コードを、自機の表示コードと制御コードに対応させるコード処理部１２０を有する。付随コード情報を受信したときは、コード処理部で自機側（テレビ受像機側）の表示態様で表示できるように表示コードの変換処理を行い、外部映像機器側からの表示コードによって表示されるべき表示態様を自機の表示態様に変換してから表示することで、外部映像機器側の表示態様に依存することなく、テレビ受像機側で設定された表示態様でメニュー画面等を統一表示できる。【選択図】        図１
2008306680.tif 000002
【特許請求の範囲】
【請求項１】
外部映像機器で再生された映像コンテンツを表示する映像機器であって、
上記外部映像機器で生成された画面表示に必要な表示コードと、上記外部映像機器自体を制御する制御コードであって、その何れかを含む付随コード情報と、映像コンテンツの少なくとも一方が挿入された送信信号を受信する送受信用インタフェース部と、
受信した上記外部映像機器からの映像コンテンツを処理して表示部に表示する映像コンテンツ処理部と、
上記表示コードおよび制御コードを、それぞれ自機の表示コードおよび制御コードに対応させるコード処理部とを有し、
上記外部映像機器側からの表示コードによって表示されるべき表示情報を、自機の表示態様で表示する
ことを特徴とする映像機器。
【請求項２】
上記映像コンテンツは、アナログ映像コンテンツである
ことを特徴とする請求項１記載の映像機器。
【請求項３】
上記送信信号はテレビジョン信号であって、その垂直ブランキング期間内に上記付随コード情報が挿入されたものである
ことを特徴とする請求項１記載の映像機器。
【請求項４】
上記付随コード情報には、ヘッダ情報が付加されている
ことを特徴とする請求項１記載の映像機器。
【請求項５】
上記コード処理部で選択された上記外部映像機器用の制御コードが上記送受信用インタフェース部より上記外部映像機器側に送信される
ことを特徴とする請求項１記載の映像機器。
【請求項６】
映像コンテンツを蓄積した映像機器であって、
映像コンテンツ蓄積部と、
上記映像コンテンツをアナログ化するアナログ信号処理部と、
画面表示に必要な表示コードと、自機を制御する制御コードの何れかを含む付随コード情報生成手段と、
上記アナログ映像コンテンツと上記付随コード情報の少なくとも何れかを含むテレビジョン信号を生成して外部の映像機器に送信すると共に、受信信号中より制御コードに関連したコード情報を分離する送受信用インタフェース部と、
受信した制御コードに基づいて少なくとも上記映像コンテンツ蓄積部を制御する制御部とを有する
ことを特徴とする映像機器。
【請求項７】
上記制御コードは、テレビジョン信号の垂直ブランキング期間内に挿入されることを特徴とする請求項６記載の映像機器。
【請求項８】
上記受信信号中には、ヘッダ情報が含まれる
ことを特徴とする請求項６記載の映像機器。
【請求項９】
自機の映像機器に、外部映像機器で再生された映像を表示する映像表示システムであって、
上記外部映像機器側には、
映像コンテンツをアナログ化するアナログ信号処理部と、
画面表示に必要な表示コードと、自機を制御する制御コードの何れかを含む付随コード情報生成手段と、
上記アナログ映像コンテンツと上記付随コード情報の少なくとも何れかを含むテレビジョン信号を生成して上記自機の映像機器に送信すると共に、受信信号中より制御コードに関連したコード情報を分離する送受信用インタフェース部と、
受信した制御コードに基づいた制御処理を実行する制御部とを有し、
自機の映像機器側には、
上記外部映像機器で生成された画面表示に必要な表示コードと、上記外部映像機器自体を制御する制御コードとを含む付随コード情報からなる送信信号を受信する送受信用インタフェース部と、
受信した上記外部映像機器からの映像コンテンツを処理して表示部に表示する映像コンテンツ処理部と、
上記表示コードおよび制御コードを、それぞれ自機の表示コードおよび制御コードに対応させるコード処理部とを有し、
上記外部映像機器側からの表示コードによって表示されるべき表示情報を、自機の表示態様で表示する
ことを特徴とする映像表示システム。
【請求項１０】
上記送信信号はテレビジョン信号であって、その垂直ブランキング期間内に上記付随コード情報が挿入される
ことを特徴とする請求項９記載の映像表示システム。
【請求項１１】
上記コード処理部で選択された上記外部映像機器用の制御コードが上記送受信用インタフェース部より上記外部映像機器側に送信されたときには、
上記外部映像機器では上記制御コードに対応する制御が実行される
ことを特徴とする請求項９記載の映像表示システム。
【発明の詳細な説明】
【技術分野】
【０００１】
この発明は映像機器およびこの映像機器を使用した映像表示システムに関する。詳しくは、例えば映像機器としてテレビ受像機を使用し、このテレビ受像機に接続された外部映像機器からの再生映像コンテンツをテレビ受像機側の画面に表示する場合、外部映像機器からのメニュー情報などを、外部映像機器側で設定された表示態様で表示するのではなく、テレビ受像機側に備わっている表示態様で表示できるようにすることにより、メニュー画面等の表示態様を統一して表示できるようにしたものである。
【背景技術】
【０００２】
ＤＶＤ用記録再生装置（以下ＤＶＤという）などの映像機器で再生された映像コンテンツは通常テレビ受像機などの映像機器を用いて再現される。このような映像表示システムにあっては、図１０Ａあるいは図１０Ｂに示すような使用態様が考えられる。
【０００３】
図１０Ａは、１台の映像機器を外部映像機器として使用した場合であって、ＤＶＤなどの映像機器が外部映像機器１０として使用され、この外部映像機器１０で再生された映像コンテンツが信号ケーブル５０を介してテレビ受像機１００に供給されることで、映像コンテンツがテレビ画面１５０に表示される。
【０００４】
図１０Ｂは複数台の映像機器を外部映像機器として使用した場合で、例えば３台の外部映像機器１０Ａ〜１０Ｃがそれぞれの信号ケーブル５０Ａ〜５０Ｃを介してテレビ受像機１００に接続される。外部映像機器１０Ａ、１０Ｂ，１０Ｃは通常異なる機種が接続されることが多い。外部映像機器１０としては、ＤＶＤ、ＶＴＲなどが考えられる。同じ製造メーカの場合もあれば、異なる製造メーカのもが使用される場合も多い。
【０００５】
このような映像表示システム１にあって、外部映像機器１０を操作する場合には、まずテレビ画面にメニュー画面が表示され、外部映像機器１０に蓄積された映像コンテンツの選択、再生、停止等の操作などを、このメニュー画面を見ながら指示できるようになっている。この場合、メニュー画面などは、外部映像機器１０側で定められた表示態様に基づいて表示される。
【０００６】
表示態様は種々考えられる。図１１Ａは、テレビ画面１５０に表示される親画面（テレビ受像機１００の再生映像画面）Ｓａと、このテレビ画面１５０に表示されるテレビ受像機１００自身のメニュー画面Ｓｂの関係を示す。メニュー画面Ｓｂは図１１Ａのような子画面表示か、図１１Ｂのような全画面表示が考えられる。
【０００７】
メニュー画面Ｓｂが子画面表示であるときは、このメニュー画面Ｓｂがテレビ画面１５０のうちで予め定められた位置に、定められた大きさで表示される。もちろん、子画面表示でも、全画面表示でも定められたカラーで、予め定められたフォントを使用して文字、記号等が表示される。
【０００８】
外部映像機器１０から送られてくるメニュー画面等を表示する場合には、この外部映像機器１０側で設定された表示態様でテレビ画面１５０に表示される。
【０００９】
ここで、外部映像機器１０側で設定される表示態様は、テレビ受像機１００側の表示態様と一致しない場合がある。テレビ受像機１００と外部映像機器１０とが同じメーカで製造された機器であるときは、表示態様は同じになる場合が多いが、メーカが相違する場合には、殆どの場合表示態様は一致しない。
【００１０】
表示態様が一致しない場合で、例えばメニュー画面が子画面表示の場合には、図１１Ｃに示すような表示態様が考えられる。この場合には、メニュー画面の表示位置やその大きさ（サイズ）が相違する。背景色なども相違したり、使用するフォントも相違するのが一般的である。メニュー画面が全画面表示であるときも、背景色や、使用するフォントが相違するのが普通である。
【００１１】
このようにメーカなどが相違すると、使用する外部映像機器１０が複数台テレビ受像機１００に接続されているときは、使用する外部映像機器１０が異なるたびにテレビ画面１５０に表示されるメニュー画面Ｓｂの位置や、サイズが相違することになる。
【００１２】
なお、このメニュー画面表示に関連して、テレビ受像機１００自体をリモートコントロールする場合には、テレビ受像機１００専用の操作手段（リモートコントローラなど）を使用し、同じく外部映像機器１０自身を操作するときは、専用のリモートコントローラを使用することになる。
【００１３】
そうした場合、それぞれの操作は、図１０Ａのように、操作したい映像機器に向けてそれぞれ専用のリモートコントローラ６０あるいは１６０を用いて行われる。接続される外部映像機器１０が多いときには、図１０Ｂのように専用のリモートコントローラ６０（６０Ａ〜６０Ｃの何れか）を用いて操作の指示が行われる。
【００１４】
そのため、リモコン操作が煩雑となり、面倒な操作を伴う。関連するリモートコントローラ６０以外は操作できないので、リモートコントローラの選別などに神経を使う。このような不便さを解消する目的で、特許文献１に示すような技術が開発されている。単一のリモートコントローラ６０あるいは１６０を使用して、全ての映像機器１０，１００を操作できるようにした技術である。
【００１５】
【特許文献１】特開２０００−１５２３４９号公報
【発明の開示】
【発明が解決しようとする課題】
【００１６】
ところで、上述したようにテレビ画面１５０に表示されるメニュー画面等が外部に接続される映像機器の表示態様に依存する場合には、使用する外部映像機器によって表示位置やサイズなどの表示態様が全て相違してしまう。できるならば、メーカが相違したり、機種が相違しても、テレビ画面１５０に表示されるメニュー画面等は、常に同じ位置で、同じサイズで表示されると共に、使用する背景色や、メニュー等の表示フォントなども統一されていた方が好ましい。
【００１７】
また、特許文献１のようなリモートコントローラを使用すると、機種やメーカなどが相違する複数の映像機器を単一のリモートコントローラを使用して操作できるので便利であるが、この場合でも制御すべき映像機器に向けてリモートコントローラを操作する必要がある。
【００１８】
そのため、例えばメニュー画面を見ながら外部映像機器を操作するには、リモートコントローラを外部映像機器に向けて操作し、テレビ受像機１００自身を操作したいときはテレビ受像機１００側にリモートコントローラの向きを変えて操作しなければならないので、操作性等につき、満足するまで改善されたとは言い難い。
【００１９】
そこで、この発明はこのような従来の課題を解決したものであって、特にテレビ受像機などの映像機器の表示部に、外部映像機器からのメニュー画面などを表示する場合、テレビ受像機などの映像機器の表示態様に統一して表示することで、表示態様の不揃いを解消した、映像機器およびこの映像機器を使用した映像表示システムを提案するものである。
【課題を解決するための手段】
【００２０】
上述の課題を解決するため、請求項１に記載したこの発明に係る映像機器は、外部映像機器で再生された映像コンテンツを表示する映像機器であって、
上記外部映像機器で生成された画面表示に必要な表示コードと、上記外部映像機器自体を制御する制御コードであって、その何れかを含む付随コード情報と、映像コンテンツの少なくとも一方が挿入された送信信号を受信する送受信用インタフェース部と、
受信した上記外部映像機器からの映像コンテンツを処理して表示部に表示する映像コンテンツ処理部と、
上記表示コードおよび制御コードを、それぞれ自機の表示コードおよび制御コードに対応させるコード処理部とを有し、
上記外部映像機器側からの表示コードによって表示されるべき表示情報を、自機の表示態様で表示することを特徴とする。
【００２１】
また、請求項６に記載したこの発明に係る映像機器は、映像コンテンツを蓄積した映像機器であって、
映像コンテンツ蓄積部と、
上記映像コンテンツをアナログ化するアナログ信号処理部と、
画面表示に必要な表示コードと、自機を制御する制御コードの何れかを含む付随コード情報生成手段と、
上記アナログ映像コンテンツと上記付随コード情報の少なくとも何れかを含むテレビジョン信号を生成して外部の映像機器に送信すると共に、受信信号中より制御コードに関連したコード情報を分離する送受信用インタフェース部と、
受信した制御コードに基づいて少なくとも上記映像コンテンツ蓄積部を制御する制御部とを有することを特徴とする。
【００２２】
さらに、請求項９に記載したこの発明に係る映像表示システムは、自機の映像機器に、外部映像機器で再生された映像を表示する映像表示システムであって、
上記外部映像機器側には、
映像コンテンツをアナログ化するアナログ信号処理部と、
画面表示に必要な表示コードと、自機を制御する制御コードの何れかを含む付随コード情報生成手段と、
上記アナログ映像コンテンツと上記付随コード情報の少なくとも何れかを含むテレビジョン信号を生成して上記自機の映像機器に送信すると共に、受信信号中より制御コードに関連したコード情報を分離する送受信用インタフェース部と、
受信した制御コードに基づいた制御処理を実行する制御部とを有し、
自機の映像機器側には、
上記外部映像機器で生成された画面表示に必要な表示コードと、上記外部映像機器自体を制御する制御コードとを含む付随コード情報からなる送信信号を受信する送受信用インタフェース部と、
受信した上記外部映像機器からの映像コンテンツを処理して表示部に表示する映像コンテンツ処理部と、
上記表示コードおよび制御コードを、それぞれ自機の表示コードおよび制御コードに対応させるコード処理部とを有し、
上記外部映像機器側からの表示コードによって表示されるべき表示情報を、自機の表示態様で表示することを特徴とする。
【００２３】
この発明の映像機器としてはテレビ受像機などが使用される。外部映像機器としてはＤＶＤなどが考えられる。外部映像機器で再生された映像コンテンツがテレビ受像機で表示される。
【００２４】
テレビ受像機には、外部映像機器で生成された画面表示に必要な表示コードと、外部映像機器自体を制御する制御コードであって、その何れかを含む付随コード情報と映像コンテンツの少なくとも一方が挿入された送信信号（テレビジョン信号）を受信する送受信用インタフェース部と、表示コードおよび制御コードを、それぞれ自機の表示コードおよび制御コードに対応させるコード処理部を有する。
【００２５】
付随コード情報のうち表示コードを受信したときは、コード処理部で自機側（テレビ受像機側）の表示態様で表示できるように表示コードの変換処理（対応付け処理）を行い、外部映像機器側からの表示コードによって表示されるべき表示態様を、自機の表示態様に変換してから表示する。
【００２６】
これによって、外部映像機器側の表示態様に依存することなく、テレビ受像機側で設定された表示態様でメニュー画面等が表示され、メニュー画面等を統一して表示することができる。この統一表示処理によってメニュー画面等が非常に見やすくなる。
【００２７】
またこの発明に係る映像コンテンツを蓄積した映像機器（外部映像機器）には、映像コンテンツをアナログ化するアナログ信号処理部と、画面表示に必要な表示コードと、自機を制御する制御コードの何れかを含む付随コード情報生成手段を有する。
【００２８】
アナログ映像コンテンツと付随コード情報の少なくとも何れかを含むテレビジョン信号を生成し、このテレビジョン信号を送信信号として送受信用インタフェース部から外部の映像機器であるテレビ受像機に送信する。送受信用インタフェース部では、また、テレビ受像機より受信した指示用制御信号中より制御コードに関連したコード情報が分離され、分離された制御コードに基づいて映像コンテンツ蓄積部などが制御される。
【００２９】
送信信号中に挿入された映像コンテンツはアナログ映像コンテンツであり、付随コード情報には、メニュー画面等を表示するためのコード情報（表示コード）が含まれているので、映像コンテンツをテレビ受像機側で表示できるし、テレビ受像機のテレビ画面にはメニュー画面等を表示できる。外部映像機器側では、受信した制御コードに基づいて、映像コンテンツの選択、再生、停止等の制御処理を実行できる。この制御コードは付随コード情報に含まれる制御コードと同じである。
【００３０】
さらに、請求項９に記載したこの発明に係る映像表示システムでは、上述したテレビ受像機としての映像機器と外部映像機器とで、全体の表示システムが構築される。そして、外部映像機器をテレビ受像機側で制御することで、映像コンテンツの表示制御、メニュー画面等の表示制御などを実行できる。
【００３１】
外部映像機器をリモートコントロールする場合でも、テレビ受像機用のリモートコントローラを使用して、このリモートコントローラをテレビ受像機に向けて発信（発光）すれば、外部映像機器を制御できる。
【発明の効果】
【００３２】
この発明に係る映像機器では、外部映像機器側のメニュー画面等の表示態様を、自機側の表示態様に合わせて自機の表示画面に表示することができる。つまり外部映像機器側の表示態様を自機側の表示態様に統一させて表示できる。その結果、メニューの選択などを迷うことなく簡易に実行できる特徴を有する。
【００３３】
また、この発明に係る映像機器では、メニュー画面等を表示する表示コードや、自機を制御する制御コードを含む付随コード情報を送信できるので、自機側で設定されたメニュー画面等をテレビ受像機などの映像機器側に用意されている表示態様に統一して表示できる特徴を有する。
【００３４】
さらにこの発明に係る映像表示システムでは、外部映像機器側のメニュー画面等の表示態様を、自機側の表示態様に合わせて自機の表示画面に表示すると共に、自機側に表示された情報に基づいて自機側で外部映像機器を制御できる表示システムを構築できる。そのため、複数の外部映像機器を接続して映像表示システムを構築する場合でも、メニュー画面等の表示を統一することができると共に、操作性に優れた表示システムを提供できる実益を有する。
【発明を実施するための最良の形態】
【００３５】
続いて、この発明に係る映像機器およびこれを使用した映像表示システムの好ましい実施例を図面を参照して詳細に説明する。
【実施例１】
【００３６】
この発明に係る映像機器を使用したこの発明に係る映像表示システムの一例を図１以下を参照して説明する。図１において、映像表示システム１は少なくとも一対の映像機器１０，１００で構築される。映像機器１００としてテレビ受像機を示す。外部映像機器１０としてはＤＶＤ、ＶＴＲなどが考えられる。図１は、ＤＶＤを使用した場合である。そして、１台以上の外部映像機器１０が信号ケーブル５０を介してテレビ受像機１００に接続される。図１は１台の外部映像機器１０を使用した場合である。
【００３７】
テレビ受像機１００は、送受信用インタフェース部１１０と、映像コンテンツおよび表示情報に対する処理制御部１２０と、映像コンテンツ処理部１３０およびテレビモニタ１４０とで構成される。図には示されていないが、このテレビ受像機１００は、テレビ受像機としての本来の機能を備えている。
【００３８】
送受信用インタフェース部１１０は、特に外部映像機器１０からの送信信号（テレビジョン信号）を受信すると共に、必要に応じて外部映像機器１０を制御するための制御情報を、外部映像機器１０に送信するために設けられたインタフェースである。
【００３９】
送受信用インタフェース部１１０では、受信したテレビジョン信号より映像コンテンツであるアナログ映像信号と、付随コード情報との分離処理が行われる。送受信用インタフェース部１１０は、映像コンテンツおよびメニュー画面等の表示情報に対する処理制御部１２０によって制御される。
【００４０】
処理制御部１２０には、リモートコントローラ１６０からのリモートコントロール信号の受光素子１７１が設けられ、受光（受信）したリモートコントロール信号に基づいて制御処理の指示がなされる。
【００４１】
送受信用インタフェース部１１０で分離されたアナログ映像信号は、映像コンテンツ処理部１３０を経てテレビモニタ１４０に供給されて映像信号がその表示画面（テレビ画面）１５０（図１０参照）に表示される。
【００４２】
送受信用インタフェース部１１０で分離された付随コード情報は、メニュー画面等を表示するための表示コードと、外部映像機器１０自体をコントロールするための制御コードからなる。表示コードによって、メニュー画面等の表示態様が決定される。
【００４３】
したがって、この表示コードは、メニュー画面の表示位置を決めるコード情報、メニュー画面の表示サイズを決めるコード情報、メニュー画面等に表示される表示文字や表示記号などの表示フォントを決めるコード情報、表示文字等の表示色を決めるコード情報、背景色を決めるコード情報などで構成される。
【００４４】
処理制御部１２０には、この外部映像機器１０側の表示コードを、自機（テレビ受像機）側の表示コードに変換するための変換処理系（対応付けのための処理系）などが含まれているが、詳細は後述する。
【００４５】
一方、外部映像機器１０は、映像コンテンツ処理部２０を始めとして、映像コンテンツおよび表示情報に対する処理制御部３０と、送受信用インタフェース部４０とで構成される。映像機器本来の機能を達成する処理系が設けられているのは、もちろんである。
【００４６】
映像コンテンツ処理部２０には、映像コンテンツに対する蓄積部を始めとして、蓄積された映像コンテンツをアナログ映像コンテンツに変換するための処理系を含む。
【００４７】
処理制御部３０では、映像コンテンツ処理部２０に対する映像コンテンツの選択処理等がなされる他、メニュー画面等を表示するときの表示態様を決定するコード情報の生成処理などが行われる。この処理制御部２０には、外部映像機器１０自体を制御するための制御コード情報なども格納されている。
【００４８】
処理制御部３０にはリモートコントロール信号に対する受光素子７１が設けられ、受光素子７１で受光（受信）したリモートコントロール信号によって処理制御部３０が制御されるが、さらに信号ケーブル５０を介して受信した制御情報によっても制御することができる。テレビ受像機１００側からでも外部映像機器１０を制御できるようにするためである。
【００４９】
アナログ映像コンテンツと付随コード情報が送受信用インタフェース部４０において合成されると共に、送信信号形態に変換されて送出される。この例ではテレビジョン信号の信号形態となされる。アナログ映像コンテンツ（アナログ映像情報）と付随コード情報とは常に合成されて出力されるのではなく、何れか一方のみが選択的に送出される場合もある。
【００５０】
図１に示す映像表示システム１のさらなる詳細説明は後述する。
【００５１】
さて、この発明では外部映像機器１０側で設定されたメニュー画面等の表示態様そのもので、テレビ画面１５０にこのメニュー画面等を表示するか、テレビ受像機１００側で設定された表示態様に統一してメニュー画面等を表示するかは、ユーザが自由に選択できる。その選択機能はテレビ受像機１００側に備えられている。
【００５２】
ここで、図２に示すように外部映像機器１０側の表示態様でメニュー画面等を表示するモードをアナログ表示モードとし、テレビ受像機１００側の表示態様に変換した上でメニュー画面等を表示するモードをデジタル表示モードと呼称する。
【００５３】
これは、外部映像機器１０側の表示態様でメニュー画面等を表示する場合、その表示態様を決める表示情報はアナログ化されてテレビジョン信号に重畳され、テレビ受像機１００側の表示態様に統一する場合には、そのときの表示情報はデジタル化されたコード情報（付随コード情報）としてテレビジョン信号に重畳されるからである。
【００５４】
また、アナログ表示モードの場合でも、デジタル表示モードの場合でもメニュー画面等は図２に示すように子画面表示か、全画面表示かの何れかを選択できる。子画面表示の場合には、図１０に示すように全画面表示の１／２〜１／４サイズで表示される。
【００５５】
図３はデジタル表示モードを選択したときの、外部映像機器１０側から送信される送信信号のうち、付随コード情報報関係のデータフォーマット例を示す。
【００５６】
図３Ａに示すように、この付随コード情報はヘッダ部とデータ部から構成される。図３Ｂに示すように、ヘッダ部には、外部映像機器１０に関する情報が挿入されるもので、メーカ名と、機種名がデジタル化されて挿入された例を示す。
【００５７】
データ部には、付随コード情報が挿入されるもので、図３Ｂに示すように、外部映像機器１０をコントロールするための制御コード情報と、メニュー画面等を表示するために必要な属性情報である表示コード情報がそれぞれ挿入される。
【００５８】
制御コード情報は、上述したように外部映像機器１０自体の制御（電源制御等）の他に、映像コンテンツ処理部２０の選択、再生、停止等を制御するために必要なコマンド情報である。
【００５９】
制御コード情報は、テレビ受像機１００側から外部映像機器１０をコントロールするときに必要な情報であるので、テレビ受像機１００側にこの制御コード情報を一旦保存した後は、最早外部映像機器１０側から送出する必要はない。
【００６０】
表示コード情報は、上述したようにメニュー画面等を表示するために必要な各種の情報であるので、テレビ受像機１００側からの指示に基づいてテレビジョン信号中に挿入される。
【００６１】
図４は付随コード情報の挿入位置を示すもので、この例では図４Ａ〜Ｃに示すように、テレビジョン信号の垂直ブランキング期間Ｖ・ＢＬＫの後半部、具体的には図４Ｂ、Ｃに示すように、垂直同期信号Ｖ・Ｓｙｎｃよりも後の垂直ブランキング期間に存在する水平期間（１０〜１１Ｈ）を利用して付随コード情報が挿入される。映像コンテンツはアナログ映像信号であるので、垂直ブランキング期間Ｖ・ＢＬＫ以外の水平走査期間を利用して挿入される。
【００６２】
図５はデジタル表示モードを選択したときの、テレビ受像機１００側から送信される制御信号のうち、制御情報関係のデータフォーマット例を示す。
図５Ａに示すように、この制御信号もヘッダ部とデータ部で構成され、ヘッダ部には、制御すべき外部映像機器を特定するための情報として、外部映像機器１０のメーカ名と機種名が挿入される。
【００６３】
データ部には、図５Ｂに示すように特定された外部映像機器１０そのものをコントロールするための制御指示情報が挿入される。この制御指示情報としては、上述した制御コードそのものが使用される。したがって、例えば映像コンテンツを選択する制御コードを受信したときには、映像コンテンツ処理部２０が制御されて、内蔵された特定の映像コンテンツが選択される。そして、選択された映像コンテンツに対する再生制御コードであるときには、その映像コンテンツの再生処理が行われる。
【００６４】
続いて、外部映像機器１０の具体例を図６を参照して説明する。
図６において、映像コンテンツ処理部２０は、映像コンテンツのソース源２２と、アナログ信号処理部２４とで構成される。ソース源２２は映像コンテンツの蓄積部であって、ハードディスク、半導体メモリなどが考えられる。
【００６５】
ソース源２２から再生された映像コンテンツ（デジタル信号）は、アナログ信号処理部２４に供給されてアナログ映像信号に変換される。なお、ここで言うアナログ映像信号は、同期信号にアナログ映像コンテンツが合成された複合映像信号であるものとする。アナログ映像コンテンツが選択されていない場合でもアナログ信号処理部２４からは複合映像信号が送出されるものとする。
【００６６】
ソース源２２には映像コンテンツ等の処理制御部３０からコマンド情報が供給され、このコマンド情報に対応した処理（映像コンテンツの選択、再生ＰＢ、停止ＳＰなど）が実行される。なお、この例では処理制御部３０から映像コンテンツ再生用としても使用される同期信号（水平同期信号、垂直同期信号など）がソース源２２に供給され、この同期信号に基づいて映像コンテンツの再生処理が行われると共に、アナログ信号処理部２４におけるアナログ処理が実行される。
【００６７】
映像コンテンツ等の処理制御部３０は、外部映像機器１０全体の制御を司るＣＰＵを有した制御部３１、各種処理プログラムなどが格納されたメモリ部（この例ではＲＯＭ）３２，ワーキング用のメモリ部（この例では、ＲＡＭ）３３を有する他、メニュー画面等の表示情報等の生成部３４，送信用インタフェース部３５および受信用のインタフェース部３６からなる。
【００６８】
まず、表示情報等の生成部３４では、メニュー画面等を表示するために必要な表示コード情報およびヘッダ情報が生成される。また、この生成部３４には、上述した制御コードを格納したメモリ部（図示はしない）を有する。制御コードは適宜読み出され、制御コードと表示コードの何れか若しくはその双方を含んだ付随コード情報がデータ部の情報として生成され、ヘッダ部とデータ部からなる付随コード情報が送信インタフェース部３５に供給される。
【００６９】
送信インタフェース部３５は、付随コード情報を送受信用インタフェース部４０に送り出すためのインタフェースであって、付随コード情報の送信タイミングを決定する。付随コード情報は垂直ブランキング期間Ｖ・ＢＬＫ内の所定の水平区間に重畳する必要があるからである。送信インタフェース部３５では、さらに制御部３１との間のインピーダンス変換処理等も行っている。
【００７０】
表示コードや制御コードなどの付随コード情報の生成処理、換言すれば、ヘッダ部やデータ部の生成処理などは制御部３１によってコントロールされる。
【００７１】
また、受信インタフェース部３６は送受信用インタフェース部４０で受信したテレビ受像機１００側からの受信信号を分離し、その中に挿入されている制御コードを制御部３１に受け渡すためのインタフェースである。
【００７２】
送受信用インタフェース部４０では、次のような処理が行われる。
第１には、アナログ映像信号に付随コード情報を重畳して送信信号を生成し、生成した送信信号を出力する。アナログ映像信号にアナログ映像コンテンツが含まれていない場合でも、付随コード情報のみを重畳した送信信号を出力する。これは、映像コンテンツがまだ選択されていないときである。
【００７３】
第２には、信号ケーブル５０を介して入力した受信信号より、制御コード情報を分離して受信インタフェース部３６に送り出す。
【００７４】
続いて、図７を参照してテレビ受像機１００側の構成および動作を説明する。
このテレビ受像機１００にあっても、テレビ受像機本来の機能を達成するための構成を有する他、以下のような構成を有する。
【００７５】
このテレビ受像機１００にあっては、送受信用インタフェース部１１０、映像コンテンツ処理系として機能するアナログ信号処理部１３０，テレビモニタ１４０を有すると共に、付随コード情報などを処理するコード処理部１２０を有する。
【００７６】
送受信用インタフェース部１１０は、第１に、信号ケーブル５０を介して受信した信号を映像コンテンツ系と、付随コード情報系に分離し、第２に、コード処理部１２０から送られてくる信号を外部映像機器１０側に送信する処理を行う。
【００７７】
送受信用インタフェース部１１０で分離されたアナログ映像信号は、後段のアナログ信号処理部１３０に供給されて、テレビモニタ１４０に表示するための信号処理が行われてから、テレビモニタ１４０に供給されて映像コンテンツが表示される。
【００７８】
コード処理部１２０は、テレビ受像機１００自体の制御を司るＣＰＵを有した制御部１２１、各種処理プログラムなどが格納されたメモリ部（この例ではＲＯＭ）１２２，ワーキング用のメモリ部（この例では、ＲＡＭ）１２３を有する他、制御コードなどの制御情報の生成部１２５，送信用インタフェース部１２６および受信用のインタフェース部１２４からなる。
【００７９】
送受信用インタフェース部１１０で分離された他方の信号である付随コード情報は、受信インタフェース部１２４を介して制御部１２１に取り込まれる。そして付随コード情報はメモリ部１２３に保存される。メモリ部１２３にはこの付随コード情報のうち表示コードを、自機の表示コード（テレビ受像機１００側の表示コード）に対応させるため、メモリ部１２３には自機の表示コードも蓄積されている。
【００８０】
制御情報生成部１２５では、外部映像機器１０を制御するための制御情報（制御コード）が生成される。この制御コード情報は、図５に示すようにヘッド情報（ヘッダ部のコード情報）とデータ情報（データ部のコード情報）からなる。データ情報の中に実際に外部映像機器１０をどのように制御すべきかの制御コードが含まれている。リモートコントロール信号などからの指示に基づいて、制御部１２１がメモリ部１２３を参照してこのメモリ部１２３から特定の制御コードが読み出される。この制御コードは、外部映像機器１０自体を制御するためのコード情報である。
【００８１】
制御情報は送信インタフェース部１２６に供給される。送信インタフェース部１２６では複合映像信号が生成され、その所定の垂直ブランキング期間を利用して制御情報が重畳されて送信信号（指示用制御信号）が生成される（図５参照）。この複合映像信号には映像信号は重畳されていない。
【００８２】
複合映像信号は送受信用インタフェース部１１０に供給され、この送受信用インタフェース部１１０から信号ケーブル５０を介して外部映像機器１０に向けて送信される。
【００８３】
続いて、この発明に係る映像表示システム１における映像処理例を図８および図９を参照して説明する。
【００８４】
図８および図９において、右側に示した処理系ＴＶはテレビ受像機１００側の処理系であり、左側に示した処理系ＤＶＤは外部映像機器１０の処理系であって、その代表例としてＤＶＤを示す。
【００８５】
図８および図９に示す処理例は、外部映像機器１０からの情報が、テレビ受像機１００側にまだ保存されていないときのもので、処理手順例を、符号を付して順次説明する。テレビ受像機１００と外部映像機器（ＤＶＤ）１０とは信号ケーブル５０で接続され、外部映像機器１０の電源はスタンバイ状態にセットされているものとする。
【００８６】
（１）テレビ受像機１００側の電源を入れる（ステップ２０１）。
【００８７】
（２）テレビ受像機１００側の映像入力を、外部映像機器１０が接続された外部映像入力側に切り替える（ステップ２０２）。上述した信号ケーブル５０はこの外部映像入力側の端子に接続されている。
【００８８】
（３）テレビ受像機１００をコントロールするリモートコントローラ１６０を用い、そのメニューボタンを操作して外部映像機器１０側の電源をオン状態にする（ステップ２０３）。
【００８９】
（４）これによって、外部映像機器１０は電源オン状態にコントロールされる（ステップ３０１）。
【００９０】
（５）続いて、リモートコントローラ１６０を使用して、外部映像機器１０側に初期メニュー表示のための指示用制御信号（図５Ｂ参照）を送る（ステップ２０４）。初期メニュー表示とは、どのような形態で外部映像機器１０側の映像情報を表示するかを設定するための画面表示である。
【００９１】
このリモートコントローラ１６０の操作は、テレビ受像機１００を操作する場合と同じ要領で行う。したがってリモートコントローラ１６０をテレビ受像機１００に向けた状態で操作するものであるから、敢えて外部映像機器１０に向けては操作しない。
【００９２】
（６）指示用制御信号を外部映像機器１０が受信すると、外部映像機器１０に保存されている初期メニュー表示情報が読み出されて、図３Ａの送信形態でテレビ受像機１００側に送信される（ステップ３０２）。
【００９３】
（７）初期メニュー表示情報を受信すると、初期メニュー情報がテレビ画面１５０に表示される（ステップ２０５）。メニュー表示が子画面表示仕様であるときは、子画面表示となる。つまり、この処理段階では、メニュー表示は、外部映像機器１０側の表示仕様にしたがった表示となる。
【００９４】
（８）続いて、初期メニュー表示画面を利用して、爾後における画面表示の表示態様の設定処理が行われる（ステップ２０６）。つまり、初期メニュー表示画面を用いて、表示モードの設定と画面サイズの設定処理が行われる。
【００９５】
ここで、
（ａ）表示モード設定とは、アナログ表示モードか、デジタル表示モードかの設定（選択）処理であり、
（ｂ）画面サイズの設定とは、表示画面が全画面表示か、子画面表示かの設定処理である。
【００９６】
アナログ表示モードは、外部映像機器１０側の表示仕様を優先する表示モードであって、上述したように外部映像機器１０側の表示仕様そのままで、表示画面１５０に表示するモードであるから、外部映像機器１０側で設定された表示位置に、設定された画面サイズ（全画面又は子画面）で、予め決められた表示色で表示される。
【００９７】
これは、アナログ表示の場合には、外部映像機器１０側から送信される表示情報はアナログ信号であり、映像コンテンツのブランキング期間にこのアナログ信号が重畳され、テレビ受像機１００側はこのアナログ信号を復調してテレビ画面１５０に表示するからである。したがって、外部映像機器１０側で指定された文字フォントで、指定された位置に、指定されたサイズで、指定された表示色をもって表示される。
【００９８】
これに対して、デジタル表示モードは、外部映像機器１０側の表示態様ではなく、テレビ受像機１００側で設定されている表示仕様で表示するモードであるから、テレビ受像機１００側で設定された表示位置に、設定された画面サイズ（全画面又は子画面）で、定められた表示色をもって、情報が表示される。
【００９９】
したがってデジタル表示モードの場合には、上述したように映像コンテンツの垂直ブランキング期間に重畳される表示情報は、全てデジタル情報（コード情報）であり、このコード情報を解読し、テレビ受像機１００側の表示情報に変換してから、テレビ画面１５０に表示する。
【０１００】
したがって、例えば、表示モードとしてデジタル表示モードが設定され、画面サイズとして子画面サイズが設定されたときには、図１１Ａに示すように、テレビ受像機１００側のメニュー画面表示と同じ位置に、同じ大きさで、外部映像機器１００側のメニュー画面も表示される。  
【０１０１】
（９）ステップ２０６の処理にあって、リモートコントローラ１６０として表示モードと画面サイズが選択され、その確定操作が行われたときは、メモリ部１２３にその設定情報が保存される。同時に、デジタル表示モードが選択されたときは、この情報が外部映像機器１０側に送信される。
【０１０２】
（１０）外部映像機器１０側で、表示モードの設定情報を受信すると、設定されたデジタル表示モードに対応したコード情報を含む付随コード情報を生成する処理が実行される（ステップ３０３）。
【０１０３】
付随コード情報は、上述したように外部映像機器１０自体を制御するための制御コードと、子画面表示を実現するための表示情報（表示コード）の何れか一方若しくはその双方を含むコード情報である。テレビ受像機１００側から外部映像機器１０自体を制御するときのみ制御コードが必要になる。これに対して表示コードは、デジタル表示モードを選択したときだけに必要なコード情報である。
【０１０４】
上述したように初期メニュー画面で、デジタル表示モードが選択されたときには、付随コード情報として制御コードと表示コードの双方のコード情報が送信信号に重畳される。そして、生成されたこの送信信号がテレビ受像機１００に向けて送信される。なお、この段階ではまだ映像コンテンツの重畳処理はなされない。
【０１０５】
（１１）付随コード情報を受信すると、この付随コード情報がメモリ部１２３に保存される（ステップ２０７）。そして、指示された表示態様でメニュー画面がテレビ画面１５０に表示される（ステップ２０８）。この例では、図１１Ａに示す位置にメニュー画面が子画面表示される。ここで言うメニュー画面とは、実際に外部映像機器１０を操作するときに使用する表示画面のことである。
【０１０６】
このように機器の電源をオンすると、まずリモートコントローラ１６０の操作に基づいて初期メニュー画面が、外部映像機器１０側の設定に基づいて表示され、メニュー画面の表示態様の選択が行なわれると、対応する付随コード情報の生成処理が実行され、生成された付随コード情報がテレビ受像機１００側に保存されると共に、選択された表示態様に基づいてメニュー画面が表示される。以後は、外部映像機器１０を操作するための通常のリモコン操作に遷移する。
【０１０７】
続いて、図９を参照してその後の処理および操作例を説明する。
（１２）メニュー画面より外部映像機器１０に対する制御情報を選択して送信する（ステップ２０９）。ここでは、映像コンテンツを選択するための制御情報が送出される。
【０１０８】
（１３）外部映像機器１０では、この指示制御信号を受信すると、制御情報を解読して対応する処理が実行される（ステップ３０４）。制御情報が映像コンテンツの選択であるときはその選択処理が行われる。続いて、必要に応じて制御処理結果情報がテレビ受像機１００側に送信され、送信情報に基づいて子画面表示される（ステップ３０５，２１０）。
【０１０９】
（１４）その後、リモートコントローラ１６０の操作状況に応じた制御情報の送信処理が行われる（ステップ２１１）。リモートコントローラ１６０で映像コンテンツの再生処理が指示されると、外部映像機器１０側では映像コンテンツの再生処理などが実行される（ステップ３０６）。したがって、外部映像機器１０側では、映像コンテンツに対するアナログ信号への変換処理と共に、必要に応じて付随コード情報の重畳処理や、送信処理などが実行される。
【０１１０】
ステップ２１１とステップ３０６との処理は、リモートコントローラ１６０の操作の都度実行されるものであるから、図９に示す処理系は単純化して説明されている。
したがって例えば、外部映像機器１０の再生を終了したいときは、リモートコントローラ１６０のメニューボタンを押すことで、外部映像機器１０側からのメニュー画面情報を受信し、これをテレビ受像機１００画面用に変換して表示する。そしてそのメニュー画面上で「終了」を選択すれば、この操作指示情報を外部映像機器１０側に送信することで外部映像機器１０の再生モードが終了する。
【０１１１】
（１５）外部映像機器１０側の電源をオフにしたいときも、テレビ受像機１００側リモコンを用いて同じような操作を行う（ステップ２１２，３０７）。テレビ受像機１００側の電源もオフしたいときは電源の制御処理を行う（ステップ２１３）。
【０１１２】
なお、外部映像機器１０側からの付随コード情報が、テレビ受像機１００側に保存されているとき、つまり、外部映像機器１０を制御するための制御コードが保存され、表示モードと画面サイズの設定情報が保存されているときは、そのような設定処理を行うための初期メニュー画面は表示されない。この場合には、直ちに映像コンテンツの選択を行うためのメニュー画面表示に遷移することになる。設定情報を変更するときは、改めて初期メニュー画面を読み出す。
【０１１３】
以上のような処理を行うことで、外部映像機器１０側のメニュー画面等をテレビ受像機１００側で表示する場合でも、テレビ受像機１００側の表示態様に統一されて表示されるから、テレビ受像機１００にどのような外部映像機器１０が接続されても、メニュー画面等を同じ表示態様で表示することができる。
【０１１４】
また、外部映像機器１０を制御する制御コードをテレビ受像機１００側で保存しておくことで、テレビ受像機１００用のリモートコントローラ１６０を使用して外部映像機器１０を制御できる。そのため、テレビ受像機１００に接続されている外部映像機器１０のメーカや、機種などを気にすることなく、目的の外部映像機器をテレビ受像機１００側の画面を見ながら簡単に制御できる。
【産業上の利用可能性】
【０１１５】
この発明は、テレビ受像機やＤＶＤなどの複数の映像機器を使用して構成される映像表示システムに適用できる。
【図面の簡単な説明】
【０１１６】
【図１】この発明に係る映像表示システムの一例を示す概念図である。
【図２】アナログ表示モードとデジタル表示モードの関係を示す図である。
【図３】外部映像機器からの送信信号のフォーマット例を示す図である。
【図４】付随コード情報の重畳例を示すタイミングチャートである。
【図５】テレビ受像機からの指示制御信号のフォーマット例を示す図である。
【図６】この発明に適用できる映像機器として使用される外部映像機器の一例を示す要部の系統図である。
【図７】この発明に適用できる映像機器として使用されるテレビ受像機の一例を示す要部の系統図である。
【図８】この発明に係る映像表示システムの処理例を示すテレビ受像機と外部映像機器との関係を示すフローチャートである（その１）。
【図９】この発明に係る映像表示システムの処理例を示すテレビ受像機と外部映像機器との関係を示すフローチャートである（その２）。
【図１０】映像表示システムの構成例を示す系統図である。
【図１１】親画面に表示される子画面の表示例を示す図である。
【符号の説明】
【０１１７】
１・・・映像表示システム、１０・・・外部映像機器、１００・・・テレビ受像機、２０・・・映像コンテンツ処理部、２２・・・映像ソース源、２４・・・アナログ信号処理部、３０・・・処理制御部、３４・・・メニュー画面等表示情報生成部、３５・・・送信インタフェース部、３６・・・受信インタフェース部、４０・・・送受信用インタフェース部、５０・・・信号ケーブル、１１０・・・送受信用インタフェース部、１２０・・・処理制御部、１３０・・・アナログ信号処理部、１４０・・・テレビモニタ、１２４・・・受信インタフェース部、１２５・・・制御情報生成部、１２６・・・送信インタフェース部
【図１】
2008306680.tif 000003
【図２】
2008306680.tif 000004
【図３】
2008306680.tif 000005
【図４】
2008306680.tif 000006
【図５】
2008306680.tif 000007
【図６】
2008306680.tif 000008
【図７】
2008306680.tif 000009
【図８】
2008306680.tif 000010
【図９】
2008306680.tif 000011
【図１０】
2008306680.tif 000012
【図１１】
2008306680.tif 000013